(57)【要約】【課題】自動補正された画像に対し必要に応じてその補正を手動で修正する画像検定処理において、検定の質を極力落とさず検定の所要時間を短縮する。【解決手段】入力された複数の画像を解析して、当該画像に施すべき所定の画質補正処理の補正パラメータを画像毎に算出する。算出された補正パラメータで定まる補正量の大きさが上位所定範囲内に入る画像を、補正パラメータの修正対象画像として選択し、選択された画像を算出された補正パラメータで補正して得られた画像をモニタ上に表示する。その後、例えば、ユーザからの修正値の入力に応じて対象となる画像の補正パラメータを修正して、修正後の補正パラメータで当該画像を補正し、ユーザからの確定入力に応じて、入力されたすべての画像を確定時の補正パラメータで補正して補正済画像を出力する。【選択図】図１
2008016995.tif 000002
【特許請求の範囲】
【請求項１】
複数の画像を入力する画像入力手段と、
前記入力された複数の画像を解析して、該画像毎に、該画像に施すべき所定の画質補正処理に係る画質補正パラメータを算出する画質補正パラメータ算出手段と、
前記入力された画像を該画像に対して算出された画質補正パラメータを用いて補正する第１の画質補正手段と、
前記算出された画質補正パラメータを手動で修正する画質補正パラメータ修正手段と、
前記画質補正パラメータ修正手段により画質補正パラメータが修正された画像を、該画像に対する修正後の画質補正パラメータを用いて補正する第２の画質補正手段とを備えた画質補正処理装置において、
前記入力された複数の画像のうち、該画像に対して前記算出された画質補正パラメータによって定まる補正量の大きさが上位所定範囲内に入る画像を、前記画質補正パラメータ修正手段による画質補正パラメータの修正対象画像として選択する修正対象画像選択手段と、
前記選択された画像に対応する、前記第１の画質補正手段により補正された画像をモニタ上に表示する表示手段とを備えたことを特徴とする画質補正処理装置。
【請求項２】
前記修正対象画像選択手段が、前記複数の画像を前記補正量が大きい順に並べたときの上位所定数に含まれる画像を選択するものであることを特徴とする請求項１記載の画質補正処理装置。
【請求項３】
前記修正対象画像選択手段が、前記複数の画像を前記補正量が大きい順に並べたときの上位所定割合に含まれる画像を選択するものであることを特徴とする請求項１記載の画質補正処理装置。
【請求項４】
前記修正対象画像選択手段が、前記補正量が所定の閾値以上である画像を選択するものであることを特徴とする請求項１記載の画質補正処理装置。
【請求項５】
前記表示手段が、前記選択された画像に対応する画像を前記補正量が大きい順に並べて表示するものであることを特徴とする請求項１から４いずれか記載の画質補正処理装置。
【請求項６】
前記補正量が、補正前の画像からの差分である絶対補正量であることを特徴とする請求項１から５いずれか記載の画質補正処理装置。
【請求項７】
前記補正量が、前記複数の画像の各々における絶対補正量の平均からの差分である相対補正量であることを特徴とする請求項１から５いずれか記載の画質補正処理装置。
【請求項８】
前記画質補正処理が、複数種類の補正処理からなるものであり、
前記補正量が、前記補正処理の各種類の補正量を所定の比率で重み付けして合算したものであることを特徴とする請求項１から７いずれか記載の画質補正処理装置。
【請求項９】
前記複数の画像を、前記画像選択手段により選択された画像とそれ以外の画像とに分離して保存する画像保存手段をさらに備えたことを特徴とする請求項１から８いずれか記載の画質補正処理装置。
【請求項１０】
複数の画像を入力するステップと、
前記入力された複数の画像を解析して、該画像毎に、該画像に施すべき所定の画質補正処理に係る画質補正パラメータを算出するステップと、
前記入力された画像を該画像に対して算出された画質補正パラメータを用いて補正する第１の画質補正ステップと、
前記算出された画質補正パラメータを手動で修正するステップと、
該ステップにより画質補正パラメータが修正された画像を、該画像に対する修正後の画質補正パラメータを用いて補正する第２の画質補正ステップとを有する画質補正処理方法において、
前記入力された複数の画像のうち、該画像に対して前記算出された画質補正パラメータによって定まる補正量の大きさが上位所定範囲内に入る画像を、画質補正パラメータの前記修正の対象画像として選択するステップと、
前記選択された画像に対応する、前記第１の画質補正ステップにより補正された画像をモニタ上に表示するステップとを有することを特徴とする画質補正処理方法。
【請求項１１】
コンピュータを、
複数の画像を入力する画像入力手段と、
前記入力された複数の画像を解析して、該画像毎に、該画像に施すべき所定の画質補正処理に係る画質補正パラメータを算出する画質補正パラメータ算出手段と、
前記入力された画像を該画像に対して算出された画質補正パラメータを用いて補正する第１の画質補正手段と、
前記算出された画質補正パラメータを手動で修正する画質補正パラメータ修正手段と、
前記画質補正パラメータ修正手段により画質補正パラメータが修正された画像を、該画像に対する修正後の画質補正パラメータを用いて補正する第２の画質補正手段として機能させるためのプログラムにおいて、
該コンピュータを、
前記入力された複数の画像のうち、該画像に対して算出された画質補正パラメータによって定まる補正量の大きさが上位所定範囲内に入る画像を、前記画質補正パラメータ修正手段による画質補正パラメータの修正対象画像として選択する修正対象画像選択手段と、
前記選択された画像に対応する、前記第１の画質補正手段により補正された画像をモニタ上に表示する表示手段として機能させることを特徴とするプログラム。
【発明の詳細な説明】
【技術分野】
【０００１】
本発明は、複数の画像の画質を自動補正し、必要に応じてその補正を手動で修正する画質補正処理装置および方法並びにそのためのプログラムに関するものである。
【背景技術】
【０００２】
デジタルカメラに代表される撮像装置を用いて取得された画像データが表す画像を紙媒体等に出力する際には、その画像に色補正や濃度補正等の画質補正を施して出力するのが一般的である。例えば、本出願人が提供する、画像プリントサービス処理を行う製品（フロンティア）においても、入力された画像データが解析され、種々の画質補正処理に係る画質補正パラメータが自動で算出され、その画質補正パラメータを用いて補正された画像がプリントされる。
【０００３】
ところで、上記の画像プリントサービス処理では、自動で算出された画質補正パラメータを用いた補正が適正であるか否かを確認するための検定モード処理があり、この検定モード処理では、画質補正処理の対象となる画像の自動補正後の画像がファイル名順に所定コマ数ずつ順次モニタ上に表示され、必要に応じて、手動で色補正や濃度補正等の修正を行うことができるようになっている（特許文献１参照）。
【特許文献１】特開平６−２０５４３６号公報
【発明の開示】
【発明が解決しようとする課題】
【０００４】
しかしながら、上記の検定モード処理では、途中で検定を中止することはできるものの、画質補正の程度に拘らず、基本的にすべての画像に対して上述のような検定を行う必要があり、画像の数が多い場合には、このような検定に要する時間が比較的長くなるという問題がある。
【０００５】
本発明は、上記事情に鑑み、自動補正された画像に対し必要に応じてその補正を修正する画像の検定を行う際に、検定の質を極力落とさず検定の所要時間を短縮することが可能な画質補正処理装置および方法並びにそのためのプログラムを提供することを目的とするものである。
【課題を解決するための手段】
【０００６】
本発明の画質補正処理装置は、複数の画像を入力する画像入力手段と、前記入力された複数の画像を解析して、該画像毎に、該画像に施すべき所定の画質補正処理に係る画質補正パラメータを算出する画質補正パラメータ算出手段と、前記入力された画像を該画像に対して算出された画質補正パラメータを用いて補正する第１の画質補正手段と、前記算出された画質補正パラメータを手動で修正する画質補正パラメータ修正手段と、前記画質補正パラメータ修正手段により画質補正パラメータが修正された画像を、該画像に対する修正後の画質補正パラメータを用いて補正する第２の画質補正手段とを備えた画質補正処理装置において、前記入力された複数の画像のうち、該画像に対して前記算出された画質補正パラメータによって定まる補正量の大きさが上位所定範囲内に入る画像を、前記画質補正パラメータ修正手段による画質補正パラメータの修正対象画像として選択する修正対象画像選択手段と、前記選択された画像に対応する、前記第１の画質補正手段により補正された画像をモニタ上に表示する表示手段とを備えたことを特徴とするものである。
【０００７】
本発明の画質補正処理装置において、前記修正対象画像選択手段は、前記複数の画像を前記補正量が大きい順に並べたときの上位所定数に含まれる画像を選択するものであってもよいし、前記複数の画像を前記補正量が大きい順に並べたときの上位所定割合に含まれる画像を選択するものであってもよいし、あるいは、前記補正量が所定の閾値以上である画像を選択するものであってもよい。
【０００８】
本発明の画質補正処理装置において、前記表示手段は、前記選択された画像に対応する画像を前記補正量が大きい順に並べて表示するものであってもよい。
【０００９】
また、本発明の画質補正処理装置において、前記補正量は、補正前の画像からの差分である絶対補正量であってもよいし、前記複数の画像の各々における絶対補正量の平均からの差分である相対補正量であってもよい。
【００１０】
本発明の画質補正処理装置において、前記画質補正処理を、複数種類の補正処理からなるものとし、前記補正量を、前記補正処理の各種類の補正量を所定の比率で重み付けして合算したものとしてもよい。
【００１１】
また、本発明の画質補正処理装置において、前記複数の画像を、前記画像選択手段により選択された画像とそれ以外の画像とに分離して保存する画像保存手段をさらに備えるようにしてもよい。
【００１２】
本発明の画質補正処理方法は、複数の画像を入力するステップと、前記入力された複数の画像を解析して、該画像毎に、該画像に施すべき所定の画質補正処理に係る画質補正パラメータを算出するステップと、前記入力された画像を該画像に対して算出された画質補正パラメータを用いて補正する第１の画質補正ステップと、前記算出された画質補正パラメータを手動で修正するステップと、該ステップにより画質補正パラメータが修正された画像を、該画像に対する修正後の画質補正パラメータを用いて補正する第２の画質補正ステップとを有する画質補正処理方法において、前記入力された複数の画像のうち、該画像に対して前記算出された画質補正パラメータによって定まる補正量の大きさが上位所定範囲内に入る画像を、画質補正パラメータの前記修正の対象画像として選択するステップと、前記選択された画像に対応する、前記第１の画質補正ステップにより補正された画像をモニタ上に表示するステップとを有することを特徴とするものである。
【００１３】
本発明のプログラムは、コンピュータを、複数の画像を入力する画像入力手段と、前記入力された複数の画像を解析して、該画像毎に、該画像に施すべき所定の画質補正処理に係る画質補正パラメータを算出する画質補正パラメータ算出手段と、前記入力された画像を該画像に対して算出された画質補正パラメータを用いて補正する第１の画質補正手段と、前記算出された画質補正パラメータを手動で修正する画質補正パラメータ修正手段と、前記画質補正パラメータ修正手段により画質補正パラメータが修正された画像を、該画像に対する修正後の画質補正パラメータを用いて補正する第２の画質補正手段として機能させるためのプログラムにおいて、該コンピュータを、前記入力された複数の画像のうち、該画像に対して算出された画質補正パラメータによって定まる補正量の大きさが上位所定範囲内に入る画像を、前記画質補正パラメータ修正手段による画質補正パラメータの修正対象画像として選択する修正対象画像選択手段と、前記選択された画像に対応する、前記第１の画質補正手段により補正された画像をモニタ上に表示する表示手段として機能させることを特徴とするものである。
【００１４】
本発明の画質補正処理装置において、第１の画質補正手段と第２の画質補正手段とは１つの画質補正手段で兼用するようにしてもよい。
【００１５】
なお、本発明のプログラムは、インターネット等のネットワークを介してダウンロードにより供給するようにしてもよいし、コンピュータ読取可能な記録媒体に記録して供給するようにしてもよい。
【発明の効果】
【００１６】
本発明の画質補正処理装置および方法並びのそのためのプログラムによれば、複数の画像を入力し、入力された複数の画像を解析して、当該画像毎に、当該画像に施すべき所定の画質補正処理に係る画質補正パラメータを算出し、前記入力された画像を当該画像に対して算出された画質補正パラメータを用いて補正する第１の画質補正を行い、上記算出された画質補正パラメータを手動で修正し、画質補正パラメータが修正された画像を、当該画像に対する修正後の画質補正パラメータを用いて補正する第２の画質補正を行う画質補正処理において、入力された複数の画像のうち、当該画像に対して上記算出された画質補正パラメータによって定まる補正量の大きさが上位所定範囲内に入る画像を、画質補正パラメータの上記修正の対象画像として選択し、選択された画像に対応する、第１の画質補正により補正された画像をモニタ上に表示するようにしているので、画像の画質補正では一般的に、補正過多に起因して元の画像より画質が悪くなる場合や、画像セットの中で１つの画像だけ補正結果が他の画像と大きく異なる場合が強く嫌われることを考慮して、補正過多となる可能性が高い画像や、補正結果が他と大きく異なる可能性が高い画像のみを検定することができ、自動補正された画像に対し必要に応じてその補正を修正する画像の検定を行う際に、検定の質を極力落とさず検定の所要時間を短縮することが可能となる。
【発明を実施するための最良の形態】
【００１７】
以下、図面を参照して、本発明の実施形態について説明する。
【００１８】
図１は、本発明の実施形態による画質補正処理装置の構成を示すブロック図である。なお、この画質補正処理装置は、入力された複数の画像を解析して自動補正し、必要に応じてその補正を手動で修正し、補正後の画像を出力するものであり、補助記憶装置に読み込まれた処理プログラムをコンピュータ（たとえばパーソナルコンピュータ等）上で実行することにより実現される。また、この処理プログラムは、ＣＤ−ＲＯＭ等の情報記憶媒体に記憶され、もしくはインターネット等のネットワークを介して配布され、コンピュータにインストールされることになる。また、画像データは画像を表すものであり、以下、特に画像と画像データの区別をせずに説明を行う。
【００１９】
図１に示すように、本実施形態による画質補正処理装置は、画像入力部１０と、画質補正パラメータ算出部２０と、画質補正部３０と、表示部４０と、修正対象画像選択部５０、画質補正パラメータ修正部６０と、画質補正パラメータ確定入力部７０と、画像保存部８０と、画像出力部９０とを備えている。
【００２０】
画像入力部１０は、複数の画像の入力を受け付けるものであり、具体的には、デジタルカメラ等により取得された写真画像であって画質補正を行った後にプリント出力するための複数の画像Ｓｉ（ｉ＝１，２，・・・）の入力を受け付け、これら複数の画像Ｓｉを不図示のメモリに保存するものである。
【００２１】
画質補正パラメータ算出部２０は、画像入力部１０により入力された複数の画像Ｓｉを解析して、画像毎に、当該画像に施すべき所定の画質補正処理に係る画質補正パラメータＭＰｉを算出するものである。画像を解析して画質補正パラメータを算出する方法としては、公知の種々の方法を適用することが可能であるが、ここでは、次のような方法を採用する。
【００２２】
画質補正処理は、ホワイトバランス補正処理（色補正処理）と、濃度補正処理の２つの画像処理項目からなる。ホワイトバランス補正処理は、画像を構成する画素の色を補正する処理である。ホワイトバランス補正処理における補正パラメータはＣ，Ｍ，Ｙであり、それぞれ、シアン色成分、マゼンタ色成分、イエロー色成分の補正量を示す。また、濃度補正処理は、画像を構成する画素の濃度を補正する処理である。濃度補正処理における補正パラメータはＤであり、濃度の補正量を示す。
【００２３】
まず、メモリに保存されている複数の画像Ｓｉを読み出し、これら複数の画像Ｓｉに対して顔領域抽出処理を施し、画像中の人物の顔領域を抽出する。顔領域抽出方法としては、例えば、特開平８−１２２９４４号公報や特開平５−１００３２８号公報に記載されている方法を用いることができる。
【００２４】
次に、抽出された顔領域を構成する画素のＲＧＢデータ値の平均値（Ｒｆ，Ｇｆ，Ｂｆ）を算出する。また、顔領域を構成する画素のＲＧＢデータ値平均値（Ｒｆ，Ｇｆ，Ｂｆ）から（lrf，lgf，lbf）、予め設定されている顔目標値（Ｒft，Ｇft，Ｂft）から（lrft，lgft，lbft）を次式に従って算出する。
【数１】
2008016995.tif 000003
【００２５】
さらに、顔目標値（Ｒft，Ｇft，Ｂft）を用いて補正ゲイン値（gainＲ，gainＧ，gainＢ）を次式に従って算出する。
【数２】
2008016995.tif 000004
【００２６】
そして、画質補正パラメータＭＰである（Ｃ，Ｍ，Ｙ，Ｄ）を次式に従って算出する。
【数３】
2008016995.tif 000005
【００２７】
このような画質補正パラメータの算出を複数の画像Ｓｉの各々について行い、すべての画像に対する画質補正パラメータＭＰｉを算出する。
【００２８】
画質補正部３０は、画像入力部１０により入力された複数の画像Ｓｉを当該画像に対して取得された画質補正パラメータを用いて補正するものであり、画質補正パラメータの後述の修正前は、当該画像に対して算出された画質補正パラメータＭＰｉを用いて補正し、画質補正パラメータの修正後は、当該画像に対して修正された画質補正パラメータＭＰｉ′を用いて補正するものである。具体的には、次のような方法により補正を行う。
【００２９】
まず、入力された画像毎に、画質補正パラメータ算出部２０により算出された画質補正パラメータＭＰ（Ｃ，Ｍ，Ｙ，Ｄ）に対して、画質補正修正値Ｈ（ＣＭ，ＭＭ，ＹＭ，ＤＭ）を反映させた修正済み画質補正パラメータＭＰ′（Ｃ′，Ｍ′，Ｙ′，Ｄ′）を次式に従って算出する。なお、画質補正修正値Ｈ（ＣＭ，ＭＭ，ＹＭ，ＤＭ）は、修正前はすべて０（ゼロ）である。
【数４】
2008016995.tif 000006
【００３０】
次に、入力された画像の画像データ（Ｒ，Ｇ，Ｂ）に対して、ｓＲＧＢの定義式に基づいて線形信号（ｒ，ｇ，ｂ）へ変換し、次式に従って補正を行う。
【数５】
2008016995.tif 000007
【００３１】
そして、このようにして補正された線形信号（ｒ′，ｇ′，ｂ′）に対して、ｓＲＧＢ定義式に基づくガンマ変換を行い、補正済み画像データ（Ｒ′，Ｇ′，Ｂ′）を得る。
【００３２】
表示部４０は、入力された複数の画像Ｓｉのうち後述の修正対象画像選択部５０により選択された画像に対応する画像をモニタ上に表示するものであり、例えば、画質補正部３０により補正された画像Ｓｉ′のうち後述の修正対象画像選択部５０により選択された修正対象画像Ｓｔに対応する画像Ｓｔ′を表示する。また、表示部４０は、このような画像の他、画質補正パラメータの修正や各種条件設定等を行うための操作ボタン等をモニタ上に表示し、ユーザの操作に応じて画面を切り替えて表示する。モニタに表示される画面としては、例えば、自動補正された画像を表示して補正の修正を受け付けるための検定画面や、後述の修正対象画像選択部５０が画像を選択する際に用いる画像選択条件を設定するための選択条件設定画面等がある。
【００３３】
修正対象画像選択部５０は、入力された複数の画像Ｓｉのうち、画質補正パラメータ算出部２０により算出された画質補正パラメータＭＰｉによって定まる補正量が上位所定範囲内に入る画像を、画質補正パラメータの修正を受け付ける修正対象画像Ｓｔとして選択するものである。修正対象画像選択部５０は、画像選択条件ＣＪを設定するための画像選択条件設定部５５を備えており、具体的には、次のようにして画像を選択する。
【００３４】
まず、入力された複数の画像Ｓｉの各々に対して算出された画質補正パラメータＭＰｉと、画像選択条件設定部５５により初期条件として設定された、または、ユーザからの入力に応じて設定された画像選択条件ＣＪとに基づいて、その各々の画像に対する画質補正程度Ｔｉを算出する。
【００３５】
画像選択条件は、次表に示すような、補正の大きさ（設定１）、画像処理項目間の重み（設定２）、および選択条件（設定３）の３種類の項目を含んでいる。
【表１】
2008016995.tif 000008
【００３６】
設定１と設定２は、どのような項目に基づいて画質補正程度Ｔｉを算出するかを定める設定項目で、設定３がその画質補正程度Ｔｉに基づいてどのような条件のときに画像を選択するかを定める設定項目である。
【００３７】
設定１は、画質補正程度Ｔｉを算出する際に、画質補正パラメータＭＰｉの絶対値と相対値のいずれを用いるかを定めるものである。補正前の元の画像からの自動補正による変化量が大きい画像を、画質補正パラメータの修正対象画像として選択したい場合には「絶対値」を設定し、入力された複数の画像間で自動補正による変化量が他より大きく異なる画像を画質補正パラメータの修正対象画像として選択したい場合には「相対値」を設定するようにする。
【００３８】
設定２は、画像処理項目間の重みを定めるものである。濃度補正よりホワイトバランス補正を重視したい場合には、ホワイトバランス補正の重みＷｗｂを大きく設定し、逆に濃度補正を重視したい場合には、濃度補正の重みＷＤを大きく設定するようにする。
【００３９】
画質補正程度Ｔは、例えば、次式に従って算出する。
【数６】
2008016995.tif 000009
【００４０】
そして、画質補正程度Ｔが設定された選択条件、すなわち、画質補正程度Ｔが大きい順に並べたときの上位Ｘ個または上位Ｙ％に含まれる画像、あるいは、画質補正程度Ｔが閾値Ｚ以上である画像のうちいずれか設定された条件を満たす画像を、画質補正パラメータの修正対象画像として選択する。
【００４１】
画質補正パラメータ修正部６０は、画質補正パラメータ算出部２０により算出された画質補正パラメータＭＰｉを手動で修正するものである。つまり、ユーザが、モニタ上に表示された修正対象画像に対応する自動補正された画像、すなわち、画質補正パラメータ算出部２０により算出された画質補正パラメータＭＰｔを用いて補正されたＳｔ′を見て、その補正が適正であるか否かを判断し、適正でないと判断した画像Ｓｔａに対して画質補正パラメータＭＰｔａを修正するための画質補正修正値Ｈｔａ（ＣＭ，ＭＭ，ＹＭ，ＤＭ）を入力する。画質補正パラメータ修正部６０は、その画質補正修正値Ｈｔａ（ＣＭ，ＭＭ，ＹＭ，ＤＭ）の入力をＧＵＩにより受け付け、画質補正パラメータＭＰｔａの修正を行い、修正後の画質補正パラメータＭＰｔa′を得るものである。
【００４２】
画質補正パラメータ確定入力部７０は、確定入力Ｋに応じて、その確定入力Ｋがなされたときのすべての画質補正パラメータを、最終的な画質補正パラメータとして確定するものである。つまり、ユーザが、モニタ上に表示された、自動補正された画像またはその補正が手動で修正された補正後の画像Ｓｔ′を見て、その自動補正あるいはその修正が適正であるか否かを判断し、適正であると判断した場合には、確定入力を行う。画質補正パラメータ確定入力部７０は、その確定入力ＫをＧＵＩにより受け付け、モニタ上に表示された画像、すなわち、修正対象画像に対する画質補正パラメータだけでなく、入力されたすべての画像Ｓｉに対する画質補正パラメータを確定する。
【００４３】
画像保存部８０は、入力された複数の画像Ｓｉを、修正対象画像選択部５０により選択された画像Ｓｔとそれ以外の画像とに分離して保存するものである。ここでは、修正対象画像選択部５０により選択された画像Ｓｔとそれ以外の画像とを、別々のフォルダに入れて保存する。
【００４４】
画像出力部９０は、入力された複数の画像Ｓｉを、当該画像に対する上記確定された画質補正パラメータを用いて補正して得られた補正済み画像Ｓｉ′を出力するものである。ここでは、その補正済み画像Ｓｉ′を、プリンタを用いて紙媒体に出力する。
【００４５】
次に、上記のように構成された画質補正処理装置における処理の流れについて説明する。図２は、本画質補正処理装置における処理の流れを示したフローチャートである。
【００４６】
まず、画像入力部１０が、デジタルカメラ等により取得された写真画像であって画質補正を行った後にプリント出力するための、複数の画像Ｓｉの入力を受け付け、これら複数の画像Ｓｉを不図示のメモリに保存する（ステップＳＴ１）。
【００４７】
複数の画像Ｓｉが入力されると、画質補正パラメータ算出部２０は、それら入力された複数の画像Ｓｉをメモリから読み出し、読み出された各画像に対して公知の顔領域抽出処理を施して画像中の顔領域を抽出し、上記の式(1-1)〜(3-4)に従って、画像毎に、ホワイトバランス補正と濃度補正の補正を規定する画質補正パラメータＭＰｉ（Ｃ，Ｍ，Ｙ，Ｄ）を算出する（ステップＳＴ２）。
【００４８】
複数の画像Ｓｉの各々に対する画質補正パラメータＭＰｉが算出されると、修正対象画像選択部５０が、入力された複数の画像Ｓｉの各々に対して算出された画質補正パラメータＭＰｉと、画像選択条件設定部５５により設定された画像選択条件ＣＪとに基づいて、式(6-1)または(6-2)に従って、その各々の画像に対する画質補正程度Ｔｉを算出する。そして、複数の画像Ｓｉのうち画質補正程度Ｔｉが選択条件を満たす画像を、画質補正パラメータの修正対象画像Ｓｔとして選択する（ステップＳＴ３）。
【００４９】
修正対象画像選択部５０により画質補正パラメータの修正対象画像が選択されると、画像補正部３０が、その選択された各画像を縮小した低解像度の縮小画像を生成し、それら縮小画像に対して当該選択された画像に対して算出された画質補正パラメータを用いて補正を行うとともに（ステップＳＴ４）、画像保存部９０が、複数の画像Ｓｉを、画質補正パラメータの修正対象画像とそれ以外の画像とに分離して別々のフォルダに保存する。
【００５０】
なお、このように縮小画像を用いる理由は、確定入力により画質補正パラメータが確定するまでは、処理量を低減して本装置の応答速度を速くするためであり、一旦確定入力がなされれば、元の画像に対して補正を行い、補正済みの画像を出力するようにする。
【００５１】
ここで表示部４０は、モニタを検定画面に切り替え、このようにして補正された画像Ｓｔ′を画質補正程度Ｔｔが大きい順に並べて表示するとともに、表示された各画像に対する画質補正パラメータを修正するためのテキストボックスあるいは操作ボタンを表示する（ステップＳＴ５）。なお、検定画面に表示する画像の数が多いために一画面に表示できないときは複数のページに分けて、切り替えて表示できるようにする。
【００５２】
図３は、モニタ上に表示された検定画面の例を示した図である。この検定画面ＳＣ１では、画面左側に検定を受ける画像Ｓｔ′、厳密には、画質補正パラメータの修正を受け付ける修正対象画像に対応する、自動補正された縮小画像が並べて表示され、各画像の下方にパラメータＤ，Ｃ，Ｙ，Ｍを修正するための修正値を入力するテキストボックスＴＢが表示されている。また、画面右上には設定されている画像選択条件ＣＪ、さらにその下に画像選択条件ＣＪを設定する際にモニタを選択条件設定画面に切り替えて画像選択条件ＣＪを設定できるようにする「画像選択条件設定」ボタンＳＢと、画質補正パラメータを確定するための「補正確定」ボタンＣＢとが表示されている。なお、上記テキストボックスの代わりに、例えば、Ｄ，Ｃ，Ｙ，Ｍそれぞれに対して、値を大きくするプラスボタンと値を小さくするマイナスボタンとを表示するようにしてもよいし、値を略連続的に変化させるスライドバーを表示するようにしてもよい。
【００５３】
図４は、モニタ上に表示された画像選択条件設定画面の例を示した図である。この画像選択条件設定画面ＳＣ２では、画質補正程度Ｔｉを算出する際に、画質補正パラメータＭＰｉの絶対値と相対値のいずれを用いるか（条件１）、画質補正程度Ｔｉを算出する際に重視したい画像処理項目とその程度に応じて、画像処理項目間（ホワイトバランス補正と濃度補正間）での重みをどのようにするか（条件２）、画像選択条件を、画質補正程度Ｔｉの大きさに基づいて、上位所定数、上位所定割合、所定閾値以上のうちいずれを採用するか（条件３）を設定可能とする。
【００５４】
画質補正程度Ｔは、例えば、次式に従って算出する。
【数７】
2008016995.tif 000010
【００５５】
そして、画質補正程度Ｔが設定された選択条件、すなわち、画質補正程度Ｔが大きい順に並べたときの上位Ｘ個または上位Ｙ％に含まれる画像、あるいは、画質補正程度Ｔが閾値Ｚ以上である画像のうちいずれか設定された条件を満たす画像を、修正を受け付ける画像として選択する。
【００５６】
なお、上記の画像選択条件設定画面ＳＣ２において、条件１として、画質補正パラメータＭＰｉの相対値を用いることを採用した場合に、検定画面上に、画質補正程度Ｔが小さい順に所定数の画像（１つだけでもよいし、複数でもよい）を表示すれば、補正パラメータの修正を行う際の参考になるので、好都合である。つまり、選択条件としてこのような「相対値」を選択するのは、複数の画像の中で補正結果が他の画像と大きく異なる画像をＮＧとする場合なので、補正パラメータを修正する際には、平均的な補正結果の画像と近い画像となるように修正するはずであり、すなわち、平均的な補正結果の画像が、補正パラメータを修正する際の一つの目標となるからである。
【００５７】
ここで、画質補正パラメータ修正部６０は、ＧＵＩによりユーザから画質補正修正値Ｈ（ＣＭ，ＭＭ，ＹＭ，ＤＭ）の入力がなされたか否かを判定し（ステップＳＴ６）、肯定される場合には、画質補正パラメータ修正部６０が、入力された画質補正修正値Ｈに基づいて画質補正パラメータを修正し（ステップＳＴ７）、画質補正部３０が、その修正後の画質補正パラメータを用いて対象となっている縮小画像を補正し直し（ステップＳＴ４）、表示部４０が、修正対象画像に対応する補正済みの縮小画像を更新する形で表示する（ステップＳＴ５）。すなわち、ユーザは、検定画面に表示された各画像を見て各画像が適正に補正されているか否かを判断し、適正でないと判断した場合には補正が適正でない画像に対するテキストボックスＴＢを用いて画質補正パラメータを修正するための画質補正修正値Ｈ（ＣＭ，ＭＭ，ＹＭ，ＤＭ）を入力する。なお、ステップＳＴ４〜ＳＴ７は、必要に応じて幾度か繰り返される。
【００５８】
一方、ユーザから画質補正修正値Ｈ（ＣＭ，ＭＭ，ＹＭ，ＤＭ）の入力がなされたか否かを判定するステップＳＴ６において、否定される場合には、画質補正パラメータ確定入力部７０が、ＧＵＩによりユーザから確定入力がなされたか否かを判定し（ステップＳＴ８）、肯定される場合には、画質補正パラメータ確定入力部７０がその確定入力に応じて、検定画面に表示されている各画像に対する画質補正パラメータを最終的な画質補正パラメータとして確定する（ステップＳＴ９）。すなわち、ユーザが、検定画面に表示された各画像が適正に補正されていると判断した場合には、操作ボタンを用いて画質補正パラメータを確定するための確定入力を行う。
【００５９】
画質補正パラメータが確定されると、画質補正部３０が、入力されたすべての元の画像Ｓｉを、確定された画質補正パラメータを用いて補正し、画像出力部８０が、それら補正済み画像Ｓｉ′を、プリンタを用いて出力する（ステップＳＴ１０）。
【００６０】
このように、本実施形態による画質補正処理装置によれば、複数の画像を入力し、入力された複数の画像Ｓｉを解析して、当該画像毎に、当該画像に施すべき所定の画質補正処理に係る画質補正パラメータＭＰｉを算出し、入力された画像を当該画像に対して算出された画質補正パラメータを用いて補正する第１の画質補正を行い、上記算出された画質補正パラメータを手動で修正し、画質補正パラメータが修正された画像を、当該画像に対する修正後の画質補正パラメータを用いて補正する第２の画質補正を行う画質補正処理において、入力された複数の画像Ｓｉのうち、当該画像に対して上記算出された画質補正パラメータによって定まる補正量の大きさが上位所定範囲内に入る画像を、画質補正パラメータの上記修正の対象画像Ｓｔとして選択し、選択された画像に対応する、第１の画質補正により補正された画像Ｓｔ′をモニタ上に表示するようにしているので、画像の画質補正では一般的に、補正過多に起因して元の画像より画質が悪くなる場合や、画像セットの中で１つの画像だけ補正結果が他の画像と大きく異なる場合が強く嫌われることを考慮して、補正過多となる可能性が高い場合や、補正結果が他と大きく異なる可能性が高い場合のみ検定することができ、自動補正された画像に対し必要に応じてその補正を修正する画像の検定を行う際に、検定の質を極力落とさず検定の所要時間を短縮することが可能となる。
【００６１】
また、本実施形態では、画質補正パラメータの修正対象画像を選択する条件として、入力された複数の画像Ｓｉを画質補正程度Ｔが大きい順に並べたときの上位所定数に含まれる、上位所定の割合に含まれる、あるいは、画質補正程度Ｔが所定の閾値以上であるという複数の条件のうちいずれかを設定可能としているので、ユーザの好みに応じて、検定の必要性が高いと思われる画像を選択することが可能となる。
【００６２】
また、本実施形態では、修正対象画像として選択された画像を、その画質補正程度Ｔが大きい順に並べて表示するので、検定の必要性が高いと思われる順に、補正の修正が必要であるか否かの検定を行うことができ、検定作業を途中で止める場合にもできるだけ検定の必要性が高いものから順に検定を行うようにして、効率のよい検定を行うことが可能となる。
【００６３】
また、本実施形態では、画質補正程度Ｔを算出する際に、画質補正パラメータの絶対値と相対値のいずれかを設定可能としており、ユーザの好みに応じて、絶対的な補正量が大きい画像と、他の画像と比較して相対的に補正量が大きい画像のいずれかを、修正対象画像として選択することができる。
【００６４】
また、本実施形態では、画質補正処理を、ホワイトバランス補正と濃度補正という複数種類の補正処理からなるものとし、画質補正程度Ｔを、その補正処理の各種類の補正程度を所定の比率で重み付けして合算して算出するようにしているので、複数種類の補正処理のうち重視したい補正処理がある場合にも、その意図を反映された形で、修正対象画像を選択することができる。
【００６５】
また、本実施形態では、入力された複数の画像Ｓｉのうち、修正対象画像として選択した画像Ｓｔとそれ以外の画像とを別々のフォルダに入れて保存するようにしているので、検定作業を後から行おうとする場合に、余分な計算時間を掛けずに検定作業に移ることが可能となる。
【００６６】
以上、本発明の望ましい実施形態について説明したが、本発明の装置および方法並びにそのためのプログラムは、上述した実施形態に限られることなく、本発明の主旨を逸脱しない限り、様々な増減、変化を加えることができる。
【００６７】
例えば、本発明では、補正量の大きさが上位所定範囲内に含まれる画像を修正対象画像として選択するが、その後、これまでに修正対象画像として選択されなかった画像の中で、補正量の大きさが上位所定範囲内に含まれる画像を新たな修正対象画像として選択する方法を考えることもできる。
【図面の簡単な説明】
【００６８】
【図１】本発明の実施形態である画質補正処理装置の構成を示すブロック図
【図２】本発明の実施形態である画質補正処理装置における処理を示すフローチャート
【図３】モニタ上に表示された検定画面の例を示した図
【図４】モニタ上に表示された画像選択条件設定画面の例を示した図
【符号の説明】
【００６９】
１０  画像入力部
２０  画質補正パラメータ算出部
３０  画質補正部
４０  表示部
５０  修正対象画像選択部
５５  画像選択条件設定部
６０  画質補正パラメータ修正部
７０  画質補正パラメータ確定入力部
８０  画像保存部
９０  画像出力部
【図１】
2008016995.tif 000011
【図２】
2008016995.tif 000012
【図３】
2008016995.tif 000013
【図４】
2008016995.tif 000014